(57)【特許請求の範囲】
【請求項１】
遊技用プログラムを記憶する記憶媒体を具備する制御基板が入れられる基板収納口を有し、この基板収納口から前記制御基板が収納されるケース本体と、
このケース本体に設けられ前記基板収納口を覆蓋する蓋体と、
この覆蓋状態を維持する封止部とを有する基板収納ケースに用いられる制御基板封止構造であって、
この制御基板封止構造は前記封止部に適用され、
前記封止部は、
前記ケース本体に設けられた本体側封止部と、
前記蓋体に設けられ、前記基板収納口が前記蓋体により閉塞されると前記本体側封止部と結合する蓋側封止部と、
前記基板収納口を前記蓋体で閉塞した状態で前記本体側封止部及び前記蓋側封止部に挿
通される橋絡部材とを有し、
前記本体側封止部及び前記蓋側封止部は、両封止部が結合する部位である結合部をそれぞれ有し、
前記橋絡部材は、前記挿通された状態で、前記本体側封止部の結合部と係合することにより前記封止部に対し当該橋絡部材を抜き取り不能に本留めするための係合片を有し、
前記蓋側封止部は、前記本留め前に前記係合片により前記橋絡部材の進行を阻止して当該橋絡部材を前記蓋側封止部に留め置く仮留め部を有し、
前記蓋側封止部は、中空直方体形状をした箱部であって一面が開放口とされかつこの開放口と対向する側の壁面に貫通孔が形成されている蓋側箱部を有し、
前記本体側封止部は、前記蓋側箱部と同様、中空直方体形状をした箱部であって一面が開放口とされかつこの開放口と対向する側の壁面に貫通孔が形成されている本体側箱部を有し、
これら両箱部は、前記基板収納口を前記蓋体で閉塞した状態において、前記各貫通孔の形成されている側の壁面が対向状態にあると共に前記蓋側箱部の開放口及び貫通孔並びに前記本体側箱部の貫通孔及び開放口が同軸上にあるように形成され、
前記橋絡部材は、弾性変形可能部材からなり、かつ前記同軸上で回転及び進行可能とされる橋絡部材本体を有すると共に、当該橋絡部材本体には前記係合片が形成され、当該係合片は、前記橋絡部材本体の先端部及びこの先端部から後端方向へ離れた箇所にそれぞれ形成された第１係合片及び第２係合片を含み、
前記第１係合片は、当該第１係合片が前記各貫通孔を通過すると当該貫通孔が形成されている前記蓋側箱部に係る壁面又は前記本体側箱部に係る壁面とスナップ結合するスナップ結合片であり、
前記第２係合片は、前記橋絡部材が前記同軸上で回転及び進行されると、当該回転及び進行の程度に応じて、前記蓋側封止部の貫通孔に対して交叉状態となる仮留め位置に移動するか、又は前記蓋側封止部の貫通孔に対して交叉しない非交叉状態となって前記蓋側封止部の貫通孔を通過して、前記橋絡部材を前記本体側封止部及び前記蓋側封止部に対して本留めする本留め位置に移動することを特徴とする基板収納ケースに用いられる制御基板封止構造。
【請求項２】
前記橋絡部材本体は棒状体であって、その後端部には、前記橋絡部材を前記結合部に押し込むための押圧部を有することを特徴とする請求項１に記載の基板収納ケースに用いられる制御基板封止構造。
【請求項３】
前記蓋側封止部の前記貫通孔が形成されている壁面には、前記本体側封止部に向けて突設する凸部又は凹部が設けられ、
前記本体側封止部の前記貫通孔が形成されている壁面には、前記凸部又は凹部と圧入される凹部又は凸部が形成され、
前記蓋体の閉塞に応じて前記凸部が前記凹部に圧入され、当該圧入により前記本体側封止部と前記蓋側封止部とが結合することを特徴とする請求項１に記載の基板収納ケースに用いられる制御基板封止構造。
【請求項４】
前記本体側箱部及び前記蓋側箱部は、それらの開放口を塞ぐ閉塞蓋をそれぞれ有し、
これらの閉塞蓋には、外力が加わると当該閉塞蓋を修復不能な状態にまで屈曲させるための折り溝が形成されていることを特徴とする請求項１〜３のいずれか1項に記載の基板収
納ケースに用いられる制御基板封止構造。
【請求項５】
前記蓋側箱部の閉塞蓋は、当該蓋側箱部に着脱自在に収納されかつ横断面で矩形の枠体の一枠を開放したごとき形状をした蓋側収納体の対向面の一方の面であり、
前記本体側箱部の閉塞蓋は、当該本体側箱部に着脱自在に収納され、同じく横断面が矩形の枠体の一枠を開放したごとき形状をした本体側収納体の対向面の一方の面であり、
前記蓋側収納体の対向面の他方の面には、前記橋絡部材の前記第１係合片及び前記第２係合片が通過可能な貫通孔であって、この貫通孔に前記第１係合片のみを通過させるときには前記橋絡部材を前記蓋側封止部に仮留めし、前記第２係合片も通過させるときには前記橋絡部材を封止部に本留めするために通す貫通孔を前記蓋側箱部の貫通孔と同軸上に有することを特徴とする請求項４に記載の基板収納ケースに用いられる制御基板封止構造。
【請求項６】
前記蓋側収納体の対向面の他方の面に形成されている貫通孔は長形状であり、前記第２係合片は、当該貫通孔を通過可能な大きさで平面で見た形状が当該貫通孔と相似形であることを特徴とする請求項５に記載の基板収納ケースに用いられる制御基板封止構造。
【請求項７】
前記押圧部は、前記橋絡部材本体の進行方向と反対側の端部に設けられた平板体であって、
前記蓋側封止部の閉塞蓋には、前記橋絡部材を前記仮留め状態にするときに前記押圧部が嵌合される嵌合孔が形成され、
前記押圧部の周縁には小突起が形成され、前記嵌合孔の周縁には前記小突起が嵌合される小孔が形成され、当該小孔に前記小突起が嵌合した状態にあるときは、前記橋絡部材が前記仮留め状態に置かれてその進行が阻止されるように、
前記橋絡部材の前記第２係合片と前記蓋側収納体の長形状の貫通孔とを橋絡部材の軸方向で見た状態での両者の交叉角度と、
同じく橋絡部材を軸方向で見た状態での前記第２係合片に対する前記小突起の位置と、
前記嵌合孔に形成された前記小孔の位置に対する前記蓋側収納体の長形状をした前記貫通孔の向きとが定められていることを特徴とする請求項５又は６に記載の基板収納ケースに用いられる制御基板封止構造。
【請求項８】
請求項１〜７のいずれか1項に記載の制御基板封止構造が適用された基板収納ケースを
有する遊技機。
【発明の詳細な説明】
【技術分野】
【０００１】
本発明は、遊技機における制御基板の封止技術に関する。
【背景技術】
【０００２】
パチンコ機やパチンコスロットその他の遊技媒体を用いて遊技が実行される遊技機では、遊技実行中に所定条件を満たすと遊技者にとって有利な特別遊技状態、いわゆる大当たりとなり、遊技球やメダル等の遊技媒体を多量に獲得できる。遊技媒体は、種々の景品と交換できるため、遊技者は大当たり獲得を目指す。
【０００３】
大当たりになると、遊技機に組み込まれた可変表示装置に各種図柄の変動やキャラクターの出現により実行される様々な演出が表示される。
【０００４】
演出は、遊技機内部に実装された制御装置によって制御される。また、制御装置は、可変表示装置への演出の制御だけでなく、大当たりを引き当てるための大当たり抽選プログラムを実行する。大当たり抽選プログラムは、電子的制御に基づいて特定の乱数を引き当てた場合に大当たりとなるように設定されている。
【０００５】
また、遊技機には各種電飾やスピーカが取り付けられており、制御装置は、これらの電飾を光らせたり、演出に合わせて鳴り響く効果音をスピーカから出したりするといった制御も行う。このように各種制御を行う制御装置には、基本処理装置としてのＣＰＵ（Ｃｅｎｔｒａｌ  Ｐｒｏｃｅｓｓｉｎｇ  Ｕｎｉｔ）と、ＣＰＵでの処理に用いられるデータを一時記憶するＲＡＭ（Ｒａｎｄｏｍ  Ａｃｃｅｓｓ  Ｍｅｍｏｒｙ）と、ＣＰＵにて処理する前記大当たり抽選プログラムを含む各種プログラムその他のプログラムを記憶したＲＯＭ（Ｒｅａｄ  Ｏｎｌｙ  Ｍｅｍｏｒｙ）とを有し、これらは制御基板上に備えられる。そしてＣＰＵは、ＲＡＭに記憶されているデータやＲＯＭに記憶されているプログラムを必要に応じて読み出すことで、各種制御を実行する。
【０００６】
ところで既述のように、大当たりを引き当てると種々の景品と交換できるため、大当たりが連続するように改竄されたプログラムを記憶した不正なＲＯＭに制御基板ごと取り替えられてしまうといった事態が生じた。
【０００７】
このような不正を防止するために、特許文献１では、大当たり抽選プログラムの改竄防止技術について開示する。
【０００８】
特許文献１によれば、螺合手段により基板収納ケースから制御基板を取り外せないようにする技術が開示されている。
【特許文献１】特開２００１−２７６３８６号公報
【発明の開示】
【発明が解決しようとする課題】
【０００９】
この種の基板収納ケースは、従来、制御基板が収納口から収納される矩形のケース本体と、このケース本体の収納口を覆蓋する蓋体と、この覆蓋状態を維持する封止部材とから構成される。
【００１０】
封止部材は、ケース本体に連結部を介して取り付けられた複数のケース側封止部材と、前記蓋体に連結部を介して設けられ、前記ケース側封止部材と相対応して取り付けられた複数の蓋側封止部材と、両封止部を固着するワンウェイネジ（一方向ネジ）等の特殊形状
ネジその他の螺合手段とを含む。そして、ワンウェイネジを締め付けることで、ケース本体の収納口は蓋体によって封止されその開放が阻止される。
【００１１】
なお、複数のケース側封止部材と、複数の蓋側封止部材のうちの少なくとも一対の封止部材がネジ止めされていれば、封止は十分に行われるが、ケース側封止部材及び蓋側封止部材を複数揃えるのは、封止部材の数だけ繰り返し使用ができるようにするためである。
【００１２】
ところで、この種の封止部材を用いると、前記連結部を切断しない限り、一度閉じた基板収納ケースを開くことができないようになっている。また、ワンウェイネジは一方向、すなわち締め付ける方向にしか回せないようにできている。ところが、ワンウェイネジはケースの外部に露呈された状態にある。このため、特殊工具を用いればワンウェイネジであってもその締め付けを解除することでワンウェイネジの取り外しが可能であり、不正行為が可能である。
【００１３】
本発明は、上記課題を解決するためのものであり、その解決しようとする課題は、ケース本体の収納口を閉塞した蓋体をワンウェイネジを用いなくても封止することができる技術を提供することにある。
【課題を解決するための手段】
【００１４】
本発明は、前記課題を解決するため、以下の手段を採用した。
【００１５】
（１）すなわち本発明の基板収納ケースに用いられる基板封止構造は、遊技用プログラムを記憶する記憶媒体を具備する制御基板が入れられる基板収納口を有し、この基板収納口から前記制御基板が収納されるケース本体と、このケース本体に設けられ前記基板収納口を覆蓋する蓋体と、この覆蓋状態を維持する封止部とを有する基板収納ケースに用いられる制御基板封止構造であって、この制御基板封止構造は前記封止部に適用され、前記封止部は、前記ケース本体に設けられた本体側封止部と、前記蓋体に設けられ、前記基板収納口が前記蓋体により閉塞されると前記本体側封止部と結合する蓋側封止部と、前記基板収納口を前記蓋体で閉塞した状態で前記本体側封止部及び前記蓋側封止部に挿通される橋絡部材とを有し、前記本体側封止部及び前記蓋側封止部は、両封止部が結合する部位である結合部をそれぞれ有し、前記橋絡部材は、前記挿通された状態で、前記本体側封止部の結合部と係合することにより前記封止部に対し当該橋絡部材を抜き取り不能に本留めするための係合片を有し、前記蓋側封止部は、前記本留め前に前記係合片により前記橋絡部材の進行を阻止して当該橋絡部材を前記蓋側封止部に留め置く仮留め部を有することを特徴とする。
【００１６】
本発明によれば、ケース本体の収納口を蓋体で覆蓋すると、ケース本体に設けられた本体側封止部と、蓋体に設けられた蓋側封止部とがそれらの結合部で結合し、それだけで蓋体がケース本体から外れなくなる。
【００１７】
橋絡部材は、封止部に対し橋絡部材を抜き取り不能に本留めする係合片を有するので、本体側封止部及び蓋側封止部の結合を解いて両者を分離しても、橋絡部材は、本体側封止部及び蓋側封止部に対して分離しない。すると、蓋体はその動きが抑制され、基板収納口を十分に開くことができなくなる。このため、ケース本体に収納されている制御基板を基板収納口から取り出すことができないか、または取り出し難くなる。
【００１８】
制御基板を基板収納口から取り出すには、橋絡部材の本留め状態を解除する必要が生じ、そのためには、強制的に橋絡部材を切断するかまたは係合片を変形させることにより前記本留めの解除を行って本体側封止部と蓋側封止部との結合を解く必要が生じる。橋絡部材を切断するかまたは係合片を変形すると、橋絡部材にはその痕跡が残る。したがって、
橋絡部材の痕跡は不正行為が行われたか否かの判別に役立つ。
【００１９】
なお、ケース本体に収納されている制御基板の取替えや制御基板に実装されている記憶媒体の改竄がされていないことの検証、又は制御基板若しくは制御基板に設けられる記憶媒体を含む回路構成部材の交換を行うとき等、正当な行為が行われた場合には、譬え橋絡部材に前記痕跡が残った場合でも、新たな橋絡部材に取り替えることで何ら問題を生じることがない、当該検証や交換を行ったことに起因して生じた痕跡を要因に不正行為が行われた虞ありとする将来的な疑念の発生を解消することができる。
【００２０】
また、前記蓋側封止部は、前記本留めの前に前記係合片を介して前記橋絡部材を前記蓋側封止部に仮留めする仮留め部を有するから、本留めをしてしまう前に、本当に封止してもよいか否かの確認ができる。
【００２１】
（２）前記蓋側封止部は、中空直方体形状をした箱部であって一面が開放口とされかつこの開放口と対向する側の壁面に貫通孔が形成されている蓋側箱部を有し、前記本体側封止部は、前記蓋側箱部と同様、中空直方体形状をした箱部であって一面が開放口とされかつこの開放口と対向する側の壁面に貫通孔が形成されている本体側箱部を有し、これら両箱部は、前記基板収納口を前記蓋体で閉塞した状態において、前記各貫通孔の形成されている側の壁面が対向状態にあると共に前記蓋側箱部の開放口及び貫通孔並びに前記本体側箱部の貫通孔及び開放口が同軸上にあるように形成され、前記橋絡部材は、弾性変形可能部材からなり、かつ前記同軸上で回転及び進行可能とされる橋絡部材本体を有すると共に、当該橋絡部材本体には前記係合片が形成され、当該係合片は、前記橋絡部材本体の先端部及びこの先端部から後端方向へ離れた箇所にそれぞれ形成された第１係合片及び第２係合片を含み、前記第１係合片は、当該第１係合片が前記各貫通孔を通過すると当該貫通孔が形成されている前記蓋側箱部に係る壁面又は前記本体側箱部に係る壁面とスナップ結合するスナップ結合片であり、前記第２係合片は、前記橋絡部材が前記同軸上で回転及び進行されると、当該回転及び進行の程度に応じて、前記蓋側封止部の貫通孔に対して交叉状態となる仮留め位置に移動するか、又は前記蓋側封止部の貫通孔に対して交叉しない非交叉状態となって前記蓋側封止部の貫通孔を通過して、前記橋絡部材を前記本体側封止部及び前記蓋側封止部に対して本留めする本留め位置に移動することを特徴としてもよい。
【００２２】
（３）前記本体側箱部及び前記蓋側箱部は、それらの開放口を塞ぐ閉塞蓋をそれぞれ有し、これらの閉塞蓋には、外力が加わると当該閉塞蓋を修復不能な状態にまで屈曲させるための折り溝が形成されていることを特徴とすることもできる。
【００２３】
（４）前記橋絡部材本体は棒状体であって、その後端部には、前記橋絡部材を前記結合部に押し込むための押圧部を有するようにしてもよい。
【００２４】
（５）前記蓋側封止部の前記貫通孔が形成されている壁面には、前記本体側封止部に向けて突設する凸部又は凹部が設けられ、前記本体側封止部の前記貫通孔が形成されている壁面には、前記凸部又は凹部と圧入される凹部又は凸部が形成され、前記蓋体の閉塞に応じて前記凸部が前記凹部に圧入され、当該圧入により前記本体側封止部と前記蓋側封止部とが結合することを特徴としてもよい。
【００２５】
（６）前記蓋側箱部の閉塞蓋は、当該蓋側箱部に着脱自在に収納されかつ横断面で矩形の枠体の一枠を開放したごとき形状をした蓋側収納体の対向面の一方の面であり、前記本体側箱部の閉塞蓋は、当該本体側箱部に着脱自在に収納され、同じく横断面が矩形の枠体の一枠を開放したごとき形状をした本体側収納体の対向面の一方の面であり、前記蓋側収納体の対向面の他方の面には、前記橋絡部材の前記第１係合片及び前記第２係合片が通過可能な貫通孔であって、この貫通孔に前記第１係合片のみを通過させるときには前記橋絡部
材を前記蓋側封止部に仮留めし、前記第２係合片も通過させるときには前記橋絡部材を封止部に本留めするために通す貫通孔を前記蓋側箱部の貫通孔と同軸上に有することもできる。
【００２６】
（７）前記蓋側収納体の対向面の他方の面に形成されている貫通孔は長形状であり、前記第２係合片は、当該貫通孔を通過可能な大きさで平面で見た形状が当該貫通孔と相似形であることを特徴とする。
【００２７】
（８）前記押圧部は、前記橋絡部材本体の進行方向と反対側の端部に設けられた平板体であって、前記蓋側封止部の閉塞蓋には、前記橋絡部材を前記仮留め状態にするときに前記押圧部が嵌合される嵌合孔が形成され、前記押圧部の周縁には小突起が形成され、前記嵌合孔の周縁には前記小突起が嵌合される小孔が形成され、当該小孔に前記小突起が嵌合した状態にあるときは、前記橋絡部材が前記仮留め状態に置かれてその進行が阻止されるように、前記橋絡部材の前記第２係合片と前記蓋側収納体の長形状の貫通孔とを橋絡部材の軸方向で見た状態での両者の交叉角度と、同じく橋絡部材を軸方向で見た状態での前記第２係合片に対する前記小突起の位置と、前記嵌合孔に形成された前記小孔の位置に対する前記蓋側収納体の長形状をした前記貫通孔の向きとが定められていることを特徴としてもよい。
【００２８】
（９）本発明は上記の制御基板封止構造を適用した基板収納ケースでもある。
【００２９】
（１０）また本発明は、このような基板収納ケースを有する遊技機でもある。
【００３０】
（１１）さらに本発明は（４）〜（８）のいずれかに記載の制御基板封止構造を用いることにより、制御基板が収納されたケース本体の基板収納口を前記蓋体で封止する方法でもある。その特徴とするところは、前記ケース本体に収納されている前記制御基板の取替えや制御基板に実装されている記憶媒体の改竄がされていないことの検証、又は前記制御基板若しくは前記制御基板に設けられる前記記憶媒体を含む回路構成部材の交換を行うときに、前記閉塞蓋に外力を付加して前記閉塞蓋を前記折り溝の形成されている箇所で屈曲して破壊することにより前記閉塞蓋を開口し、当該開口から前記橋絡部材を取り外した後、前記蓋側封止部と前記本体側封止部との連結を解除することで封止を解いて、前記ケース本体に収納されている前記制御基板の取替えや制御基板に実装されている記憶媒体の改竄がされていないことの検証後、又は前記制御基板若しくは前記制御基板に設けられている前記記憶媒体を含む回路構成部材の交換後、並びに閉塞蓋を新たにした状態で、前記取り外された橋絡部材を又は新たな橋絡部材を前記蓋側封止部に仮留めし、当該仮留め状態において正規に封止し得る状態にあることの確認をした後に前記橋絡部材を前記本体側封止部の結合部と係合することにより前記封止部に当該橋絡部材を本留めし、再び封止するというものである。
【発明の効果】
【００３１】
本発明によれば、ケース本体の収納口を閉塞した蓋体をワンウェイネジを用いなくても封止することができる。
また橋絡部材の痕跡の有無により、不正行為が行われたか否かの判別ができる。また、本留めをしてしまう前に、本当に封止してもよいか否かの確認できるので、誤って封止してしまうことを有効に防止できる。
【発明を実施するための最良の形態】
【００３２】
以下、本発明に係る基板収納ケースに用いられる制御基板封止構造及び基板封止方法について図面を参照しながら説明する。
【実施例１】
【００３３】
図１に示すように、遊技機であるパチンコスロット１０は、筐体１１に上扉１２ａと下扉１２ｂとからなる前面扉を有する。
【００３４】
各扉１２ａ，１２ｂは、それぞれ一対の扉ヒンジ１６，１６（図面では下扉１２ｂのヒンジ１６のみ示す。）により回転自在に取り付けられている。
【００３５】
上扉１２ａには、４個の表示窓１３が設けられ、筐体１１内に設けられるリールユニット２６の第１リール１４ａ、第２リール１４ｂ、第３リール１４ｃ及びサブリール１５を各々の表示窓１３から視認できる。各リールには多数の図柄が表示されている。そして一つの表示窓１３で１リールにつき３個の図柄を視認できる。また、全ての表示窓１３に記した図示しない所定の入賞有効ライン上で第１〜第３リールが所定図柄で揃うと、いわゆる大当たりが発生する。
【００３６】
下扉１２ｂには、ゲームの開始時に操作される１枚ベットボタン，ＭＡＸベットボタン，ペイアウトボタン，メダルを投入するためのメダル投入口，メダルベットが行われた後に操作される押下式スタートレバー，押下式スタートレバーの押下操作により回転し始める前記リールの動作を停止させる第１〜第３のストップボタン等が設けられている。さらに、下扉１２ｂの下部には、メダル受皿，配当メダル払出し口，灰皿等が取り付けられている。
【００３７】
また、筐体１１内には、電子回路基板（制御基板）であるメイン基板２４が、基板収納ケース２５に収納された状態で、リールユニット２６よりも奥に取り付けられる。リールユニット２６は、支持枠２７により筐体１１の内壁に着脱自在に取り付けられる。
【００３８】
メイン基板２４は、図２に示すように、パチンコスロット１０の遊技実行中に所定条件が満たされた場合に遊技状態を遊技者にとって有利な特別遊技状態（大当たり）とする遊技用プログラムを記憶した記憶媒体であるＲＯＭ３１を実装するＲＯＭ専用基板３２や、ＣＰＵ３３などの各種回路部品が実装される。ＣＰＵ３３は、ＲＯＭ３１に記憶されている情報を適宜読み出して、その情報に基づきパチンコスロット１０の作動を制御する。
【００３９】
基板収納ケース２５は、扁平な中空直方体形状をしており、図２に示すように、上方に開口する基板収納口１２６ｏを有するケース本体１２６と、ケース本体１２６に対しケースヒンジ１２９を介して回動可能に取り付けられ、かつ基板収納口１２６ｏを覆蓋する蓋体１２５と、覆蓋状態を維持しかつ本発明に係る制御基板封止構造が適用された封止部１６４とを有する。そして、ケース本体１２６内部における底部には、メイン基板２４が取り付けられる。また基板収納ケース２５は、ＡＢＳ樹脂からできており、このＡＢＳ樹脂は透光性を有する。
【００４０】
封止部１６４は、ケース本体１２６に括れ１２７を有する連結部１２６ａを介して一体に設けられた本体側封止部１６６と、前記蓋体１２５に連結部１２５ａを介して一体に設けられ、前記基板収納口１２６ｏを蓋体１２５で覆蓋した時に本体側封止部１６６と同軸線Ｌ（図６および図７参照参照）上で結合する蓋側封止部１６５と、基板収納口１２６ｏ（図２参照）を蓋体１２５で閉塞した状態で本体側封止部１６６及び蓋側封止部１６５に挿通される橋絡部材１６９とを有する。
【００４１】
本体側封止部１６６は、中空直方体形状をした本体側箱部１６７と、この本体側箱部１６７に収納される本体側収納体１６８とを有する。
【００４２】
本体側箱部１６７は、その内部に、本体側収納体１６８が着脱自在に収納される截頭四
角錐形状をした空間１６７Ｓを有する（図５参照）。また、本体側箱部１６７は、図５における下方に符号１７０で示す開放口を有する。そして、この開放口１７０と対向する側の壁面１７２には、その中央に貫通孔１７２ｏが形成されている。壁面１７２のことを便宜上、本体側箱部１６７の天井壁面という。
【００４３】
天井壁面１７２の外表面（蓋側収納体側の面）中央部には、截頭四角錐形状を倒立させた如き形状の扁平凹部１７４が形成されている。そして、扁平凹部１７４の中央部に前記貫通孔１７２ｏ  が位置する。また、天井壁面１７２の内表面には、図５〜図７の手前側から向こう側に延びる一対の平行溝１７３が形成されている。
【００４４】
本体側収納体１６８は、その全体形状が、溝形鋼を横倒しにした如き形状、換言すれば横断面で略コの字形（矩形の枠体の一枠を開放したごとき形状）に屈曲された板形状をしている。
【００４５】
本体側収納体１６８は、これを本体側箱部１６７に収納した時に、本体側箱部１６７の天井壁面１７２に対向する天板部１６８ａと、天板部１６８ａと平行な底板部１６８ｂ（本体側収納体１６９の対向面の一方の面のこと）と、両板部を連結する連結部１６８ｃとからなる。
【００４６】
そして、天板部１６８ａの中央には、本体側箱部１６７の貫通孔１７２ｏと同軸に貫通孔１７４ｏが形成されている。この貫通孔１７４ｏの両脇には、一対の平行な突条１７６が形成されている。一対の突条１７６は、本体側箱部１６７の前記一対の平行溝１７３としまり嵌め状に嵌合する（図５〜図７参照）。
【００４７】
なお、一対の突条１７６と一対の平行溝１７３とを入れ替えて形成し、本体側収納体１６８の天井壁面に一対の平行溝１７３を形成し、本体側箱部１６７に一対の突条１７６を形成してもよい。
【００４８】
底板部１６８ｂは、天板部１６８ａと幅寸法は同じであるが幾分長く、本体側収納体１６８を本体側箱部１６７に収納した時に底板部１６８ｂの自由端縁側１６８ｂ１が本体側箱部１６７の開放口１７０を画成する一縁に当接するように底板部１６８ｂの長さ寸法および本体側収納体１６８の高さ寸法（連結部１６８ｃの高さ寸法）が定められている（図６および図７参照）。
【００４９】
本体側収納体１６８は、既述のように横断面でコの字形をしているので、開口している分、自由度が高く、天板部１６８ａと連結部１６８ｃとの間の角度α及び底板部１６８ｂと連結部１６８ｃとの間の角度βは、本体側収納体１６８が収納される本体側箱部１６７の截頭四角錐形状をした空間１６７Ｓの壁面傾斜角に合わせて変形する。
【００５０】
また、底板部１６８ｂの略中央には、自由端縁１６８ｂ１に平行に延びかつ上方に開く横断面三角形状の溝１７７が形成されている。溝１７７は、底板部１６８ｂに外力が加わると、底板部１６８ｂを半折りして底板部１６８ｂを修復不能な状態にまで屈曲させるためのものである。この明細書では本体側折り溝１７７と呼称する。また、底板部１６８ｂは、本体側箱部１６７の開放口１７０を閉塞する蓋体として機能するので、本体側閉塞蓋ということができる。
【００５１】
蓋側封止部１６５は、本体側箱部１６７と同様、中空直方体形状をした蓋側箱部１７８と、この蓋側箱部１７８に収納される蓋側収納体１７９とを有する。
【００５２】
蓋側箱部１７８は、内部に截頭四角錐形を倒立させたごとき形状の空間１７９Ｓを有し
、図３〜図５における上方に開口する箱部である。そして、蓋側箱部１７８は、本体側箱部１６７の略倍の丈がある。なお、蓋側箱部１７８の開放口を符号１８０で示す。また、開放口１８０と対向する側の壁面１８２（図５〜図７参照）の中央には、小径部１８２ｏ１と大径部１８２ｏ２とからなる段付貫通孔１８２ｏを有する。壁面１８２を便宜上、本体側箱部１６７の底板壁面という。
【００５３】
そして蓋側箱部１７８の開放口１８０、同貫通孔１８２ｏ及び蓋側収納体１７９の嵌合孔１８５、同矩形貫通孔１８８並びに本体側箱部１６７の貫通孔１７２ｏ、同開放口１７０及び本体側収納体１６８の貫通孔１７４ｏが同軸線Ｌ上にあるように形成されている。
【００５４】
底板壁面１８２の外表面中央部には、截頭四角錐形状を倒立させた如き形状の扁平凸部１８４が形成されている。そして、扁平凸部１８４の中央部に前記段付貫通孔１８２ｏが位置する（図５〜図７参照）。また、底板壁面１８２の内表面には、一対の平行溝１８３が形成されている。
【００５５】
扁平凸部１８４は、本体側箱部１６７の扁平凹部１７４と圧入により嵌合できるようにその大きさや高さ寸法が決められ、当該嵌合により、蓋側封止部１６５が本体側封止部１６６に結合される。そして、これら扁平凸部１８４及び扁平凹部１７４をそれぞれ含む蓋側箱部１７８の底板壁面１８２及び本体側箱部１６７の天井壁面１７２を両封止部が結合する部位である結合部という。
【００５６】
なお、蓋側箱部１７８に扁平凹部１７４を形成し、本体側箱部１６７に扁平凸部１８４を形成して、両者を嵌合することで、本体側箱部１６７と蓋側封止部１６５とを結合するようにしてもよい。
【００５７】
蓋側収納体１７９は、本体側収納体１６８と同様、その全体形状が、溝形鋼を横倒しにした如き横断面で略コの字形に屈曲された板形状体であり、蓋側箱部１７８の空間１７９Ｓに対して、着脱自在に収納される。
【００５８】
蓋側収納体１７９は、蓋側箱部１７８の開放口１８０を閉塞する閉塞蓋としての天板部１７９ａ（蓋側収納体の対向面の一方の面）と天板部１７９ａと対向する底板部１７９ｂ（蓋側収納体の対向面の他方の面）と両板部を連結する連結部１７９ｃとからなる。
天板部１７９ａの中央部には、円形の嵌合孔１８５が形成されている。嵌合孔１８５の周縁には、嵌合孔１８５の外方へ臨む小孔１８５ａが形成されている。
【００５９】
そして天板部１７９ａは、図５〜図７に示すように底板部１７９ｂと比べ幅寸法は同じであるが幾分長い。そして、蓋側収納体１７９を蓋側箱部１７８の空間１７９Ｓに収納した時に天板部１７９ａの自由端縁１７９ａ１が蓋側箱部１７８の一縁に当接するように天板部１７９ａの長さ寸法および蓋側収納体１７９の高さ寸法が定められている（図６および図７参照）。
【００６０】
蓋側収納体１７９は、既述のように横断面で略コの字形をしているので、その自由度が高く、天板部１７９ａと連結部１７９ｃとの間の角度α及び底板部１７９ｂと連結部１７９ｃとの間の角度βは、蓋側収納体１７９が収納される蓋側箱部１７８の截頭四角錐形を倒立させたごとき形状の空間１７９Ｓの壁面の傾斜角に合わせて変形する。
【００６１】
そして、底板部１７９ｂの中央には、底板部１７９ｂの延びる方向に対して平行な長四角形状をした矩形貫通孔１８８が形成されている。そして、底板部１７９ｂの下面（本体側収納体１６８の側の面）であって、矩形貫通孔１８８の両端には、矩形貫通孔１８８を間に挟んだ状態で平行に延びる一対の突条１８６が形成されている。一対の突条１８６は
、蓋側箱部１７８の前記一対の平行溝１８３に、しまり嵌め状に嵌合する。
【００６２】
なお、蓋側箱部１７８の一対の平行溝１８３と蓋側収納体１７９の一対の突条１８６とを入れ替えて形成し、蓋側収納体１７９の底板部１７９ｂに一対の平行溝１８３を形成し、蓋側箱部１７８に一対の突条１８６を形成してもよい。
【００６３】
天板部１７９ａは、その中央よりも自由端寄り箇所に自由端縁１７９ａ１に平行な溝１８７が形成されている。
【００６４】
溝１８７は、天板部１７９ａに外力が加わると溝１８７の形成されている箇所で天板部１７９ａを折り曲げて天板部１７９ａを修復不能な状態に屈曲させるためのものであり、この明細書では蓋側折り溝１８７と呼称する。また、天板部１７９ａは、蓋側箱部１７８の開放口１８０を閉塞する蓋体として機能するので蓋側閉塞蓋という。蓋側折り溝１８７は下方に開く横断面三角形状の溝である。
【００６５】
橋絡部材１６９は、弾性変形可能な樹脂性部材からなり、棒状の橋絡部材本体１９０と、橋絡部材本体１９０の先端部に位置する第１係合片１９１と、橋絡部材本体１９０の末端に位置する円板状の押圧部１９３と、両者の間に位置する第２係合片１９２とを有する。
【００６６】
橋絡部材本体１９０は、その全長が、蓋側封止部１６５の蓋側箱部１７８よりも押圧部１９３の肉厚分長い。
【００６７】
第１係合片１９１は、アルファベットの文字Ｗの形状をしたスナップ結合片であり、橋絡部材１６９の弾性と相俟って、第１係合片１９１をその幅方向（図５〜図７の左右方向）から第１係合片１９１を圧縮するように外力が掛けられると縮み、当該外力が除かれると元に戻るようになっている。
【００６８】
橋絡部材１６９が蓋側封止部１６５及び本体側封止部１６６に挿通されて、蓋側箱部１７８の段付貫通孔１８２ｏ又は本体側箱部１６７の貫通孔１７２ｏを通過すると、蓋側箱部１７８の段付貫通孔１８２ｏが形成されている壁面１８２又は本体側箱部１６７の貫通孔１７２ｏが形成されている壁面１７２とスナップ結合する（図６および図７）。
【００６９】
なお、第１係合片１９１とこれが通過する各孔とでは、第１係合片１９１の方が各孔よりも大きく、第１係合片１９１が各孔を通過できるのは、第１係合片１９１が既述のようにその幅方向に圧縮されるからである。
【００７０】
橋絡部材１６９が本体側封止部１６６でスナップ結合すると、橋絡部材１６９の第１係合片１９１と第２係合片１９２とで本体側箱部１６７の天井壁面１７２と本体側収納体１６８の天板部１６８ａとを挟み込むため、橋絡部材１６９が封止部１６４に対して抜き取り不能な状態になる。この時、橋絡部材１６９の第１係合片１９１、第２係合片１９２及び押圧部１９３は、それぞれ本体側収納体１６８の空間１６７Ｓ、蓋側箱部１７８の段付貫通孔１８２ｏの大径部１８２ｏ２及び空間１７９Ｓに位置する。この状態をもって橋絡部材１６９が本留め状態にあるまたは本留めがされるという（図７参照）。
【００７１】
このような観点から第１係合片１９１及び第２係合片１９２は、橋絡部材１６９を抜き取り不能に本留めするための係合片という。本留めがなされる本体側封止部１６６の天井壁面１７２及び本体側収納体１６８の天板部１６８ａのことを本留め部という。そして、本留め前に前記第２係合片１９２が蓋側封止部１６５の矩形貫通孔１８８と交叉することにより、橋絡部材１６９の進行を阻止して橋絡部材１６９を蓋側封止部１６５に留め置く
ことを仮留めという（図６参照）。
【００７２】
押圧部１９３は、橋絡部材１６９を結合部に向けて押し込むための円板体であり、橋絡部材１６９の軸方向に直交する状態で橋絡部材１６９の後端（橋絡部材本体の進行方向と反対側の端部）に設けられている。
【００７３】
押圧部１９３は、蓋側収納体１７９の天板部１７９ａに形成された嵌合孔１８５にちょうど嵌る程の大きさである。また押圧部１９３の周縁には、小突起１９３ａが形成されている（図５参照）。この小突起１９３ａは、嵌合孔１８５の周縁に形成された小孔１８５ａに嵌まるようにされている。この状態が前記仮留め状態である（図６参照）。
【００７４】
そして、橋絡部材本体１９０を蓋側封止部１６５に挿通することで押圧部１９３を嵌合孔１８５に嵌めた時に、押圧部１９３が、天板部１７９ａとその外表面で面一に嵌合され、かつその状態を保持できるように押圧部１９３の肉厚・直径及び嵌合孔１８５の深さ・直径、並びに橋絡部材１６９の長さ寸法（橋絡部材本体１９０の長さ寸法）が定められている（図６参照）。
【００７５】
また、押圧部１９３の表面には、図示しないドライバーの穂先が入る長形溝１９３ｂが形成されている。橋絡部材１６９を上から見た時に長形溝１９３ｂに対し、第１係合片１９１は平行であるが、第２係合片１９２は直交する（図４および図８参照参照）。
【００７６】
第２係合片１９２は、橋絡部材本体１９０と直交する角棒体であって、蓋側封止部１６５の嵌合孔１８５、同じく段付貫通孔１８２ｏの直径および矩形貫通孔１８８よりも短いが、本体側封止部１６６の貫通孔１７２ｏおよび１７４ｏの直径よりも長い。
【００７７】
第２係合片１９２は、橋絡部材１６９がドライバー等により回転されながら押し込まれると、回転角度に応じて蓋側封止部１６５の前記長四角形状をした矩形貫通孔１８８に対して仮留め位置、及び本留め位置の両位置に移動する。そのために第２係合片１９２は、前記矩形貫通孔１８８を通過可能な大きさで平面で見た形状が当該貫通孔と相似形にされている。
【００７８】
矩形貫通孔１８８に対して仮留め位置とは、橋絡部材１６９を蓋側封止部１６５に入れた時に、前記矩形貫通孔１８８を第１係合片１９１のみが通過し、第２係合片１９２は前記矩形貫通孔１８８を貫通せずに矩形貫通孔１８８に対し第２係合片１９２が交叉状態となる位置であり、この実施形態では、例えば、矩形貫通孔１８８に対し第２係合片１９２が直交状態とされる箇所である。
【００７９】
第２係合片１９２が矩形貫通孔１８８と交叉することにより橋絡部材１６９の進行が阻止されて、橋絡部材１６９を蓋側封止部１６５に留め置くので、第２係合片１９２は、仮留め用の係合片といえる。そして、この実施形態では、仮留め位置に橋絡部材１６９があることを、押圧部１９３の小突起１９３ａが蓋側収納体１７９の嵌合孔１８５の周縁に形成された前記小孔１８５ａに嵌まった状態にあることで視認できるようになっている。
【００８０】
そのために、小突起１９３ａが小孔１８５ａに嵌合している状態で押圧部１９３を橋絡部材１６９の軸方向から見た状態においては、第２係合片１９２が、押圧部１９３の小突起１９３ａを通る押圧部１９３の中心線Ｌ１と直交するように形成されてある（図４，図８及び図９参照）。小突起１９３ａは押圧部１９３の挿入に伴い弾性変形して空間１７９Ｓ（図７参照）に入り、その後、橋絡部材１６９を嵌合孔１８５から取りだそうとしても小突起１９３ａが邪魔になり、そこから抜け出ないようになる。なお、小突起１９３ａは複数数であってもよい。
【００８１】
なお、中心線Ｌ１と第１係合片１９１とは平行になるように形成されている。また押圧部１９３の前記長形溝１９３ｂは、中心線Ｌ１上にあるように形成されている（図４，図８および図９参照）。このため第１係合片１９１と長形溝１９３ｂとは平行である。また蓋側収納体１７９のうち小孔１８５ａの向き、換言すれば小孔１８５ａを含む嵌合孔１８５の中心線Ｌ２と矩形貫通孔１８８とは平行にされている（図４参照）。
【００８２】
仮留めがなされる矩形貫通孔１８８を有する蓋側収納体１７９の底板部１７９ｂのことを、橋絡部材１６９の第２係合片により橋絡部材１６９の進行を阻止して橋絡部材１６９を蓋側封止部１６５に留め置く仮留め部という。
【００８３】
矩形貫通孔１８８に対して本留め位置とは、橋絡部材１６９を本体側封止部１６６及び蓋側封止部１６５に対し当該橋絡部材１６９を抜き取り不能な状態、すなわち本留め状態にする位置である（図７及び図１０参照）。
【００８４】
橋絡部材１６９を仮留め位置から本留め位置に移行するには、橋絡部材１６９を回転させ、第２係合片１９２が矩形貫通孔１８８と交叉している状態を解除し、蓋側封止部１６５の前記矩形貫通孔１８８に対し第２係合片１９２を非交叉状態にして当該矩形貫通孔１８８を通過させ、その後、橋絡部材１６９を本体側封止部１６６でスナップ結合することにより、橋絡部材１６９の第１係合片１９１と第２係合片１９２とで本体側箱部１６７の天井壁面１７２と本体側収納体１６８の天板部１６８ａとを挟み込むことで行う。
【００８５】
しかして、本発明に係る制御基板封止構造が適用された封止部１６４を有するケース本体１２６に収納されているメイン基板２４の取替えやメイン基板２４に実装されているＲＯＭ３１の改竄がされていないことの検証、又は前記メイン基板２４若しくはメイン基板２４に設けられるＲＯＭ３１を含む回路構成部材の交換を行うときに、蓋側収納体１７９の天板部１７９ａや本体側収納体１６８の底板部１６８ｂに外力を付加して、当該天板部１７９ａの蓋側折り溝１８７や当該底板部１６８ｂの本体側折り溝１７７の形成されている箇所で天板部１７９ａや底板部１６８ｂを屈曲して破壊することにより、天板部１７９ａや底板部１７９ｂを開口し、当該開口から橋絡部材１６９を取り外した後、蓋側封止部１６５と本体側封止部１６６との連結を解除することで、メイン基板２４が収納されたケース本体１２６の基板収納口１２６ｏを蓋体１２５で封止した状態を解いて、ケース本体１２６に収納されているメイン基板２４の取替えやメイン基板２４に実装されているＲＯＭ３１の改竄がされていないことの検証後、又はメイン基板２４若しくはメイン基板２４に設けられるＲＯＭ３１を含む回路構成部材の交換後、並びに蓋側収納体１７９や本体側収納体１６８を新たにした状態で、取り外された橋絡部材１６９を又は新たな橋絡部材１６９を蓋側封止部１６５に仮留めし、当該仮留めにより正規に封止し得る状態にあることの確認をした後に橋絡部材１６９を本体側封止部１６８の天井壁面１７２とスナップ結合することにより本体側封止部１６６及び蓋側封止部１６５に橋絡部材１６９を本留めし、再び封止を行う。その後は基板収納ケース２５を筐体１１に取り外した場合と逆の順序で、基板収納ケース２５及びリールユニット２６を筐体１１に取り付け、パチンコスロット１０の上扉１２ａを閉じれば、パチンコスロット１０の稼働準備が調う。
【００８６】
したがって、基板収納ケース２５では、従来必要であったケース本体の収納口を閉塞した蓋体をワンウェイネジを用いなくても封止することができる。
【００８７】
また、本体側収納体１６８の底板部１６８ｂや蓋側収納体１７９の天板部１７９ａに外力が加わると、本体側折り溝１７７や蓋側折り溝１８７により底板部１６８ｂや天板部１７９ａが簡単に屈曲するので、それだけを見ても底板部１６８ｂや天板部１７９ａが何者かにより破壊され不法行為がされたことが判明する。
【００８８】
ケース本体１２６の基板収納口１２６ｏを蓋体１２５で覆蓋すると、ケース本体１２６に設けられた本体側封止部１６６と、蓋体１２５に設けられた蓋側封止部１６５とがそれらの結合部である蓋側封止部１６５の底板壁面１８２及び本体側箱部１６７の天井壁面１７２で結合（本体側箱部１６７の扁平凹部１７４と蓋側箱部１７８の扁平凸部１８４とが圧入されることによる結合）し、それだけで蓋体１２５がケース本体１２６から外れなくなる。
【００８９】
橋絡部材１６９は、本体側封止部１６６及び蓋側封止部１６５に対し橋絡部材１６９を抜き取り不能に本留めする第１係合片１９１及び第２係合片１９２を有するので、本体側封止部１６６及び蓋側封止部１６５の結合を解いて両者を分離しても、橋絡部材１６９は、本体側封止部１６６及び蓋側封止部１６５に対して分離しない。すると、蓋体１２５はその動きが抑制され、基板収納口１２６ｏを十分に開くことができなくなるため、ケース本体１２６に収納されているメイン基板２４を基板収納口１２６ｏから取り出すことができないかまたは取り出し難くなる。
【００９０】
メイン基板２４を基板収納口１２６ｏから取り出すには、橋絡部材１６９の本留め状態を解除する必要が生じ、そのためには、強制的に橋絡部材１６９を切断するかまたは第１係合片１９１を変形することにより、第１係合片１９１を本体側箱部１６７の貫通孔１７２ｏ及び本体側収納体１６８の貫通孔１７４ｏを通すことで、前記本留めの解除を行って本体側封止部１６６と蓋側封止部１６５との結合を解く必要が生じる。橋絡部材１６９を切断するかまたは第１係合片１９１を変形すると、橋絡部材１６９にはその痕跡が残る。
【００９１】
一方、ケース本体１２６に収納されているメイン基板２４の取替えやメイン基板２４に実装されているＲＯＭ３１の改竄がされていないことの検証、又はメイン基板２４若しくはメイン基板２４に設けられるＲＯＭ３１を含む回路構成部材の交換を行うとき等、正当な行為が行われた場合には、譬え橋絡部材１６９に前記痕跡が残った場合でも、新たな橋絡部材１６９に取り替えることで、そのような痕跡に起因する不正行為が行われたことの疑念が生じる虞を解消できる。
【００９２】
したがって、底板部１６８ｂや天板部１７９ａが破壊された状態や橋絡部材１６９の切断や変形に起因する痕跡の有無は、不正行為が行われたか否かの判別に役立つ。
【００９３】
また、蓋側封止部１６５は、前記本留めの前に第２係合片１９２を介して橋絡部材１６９を蓋側封止部１６５に仮留めするための蓋側収納体１７９を有するから、本留め前にその適正を確認ができる。このように本留めをしてしまう前に、本当に封止してもよいか否かの確認ができるので、誤って封止してしまうことを有効に防止できる。また、仮留め状態にあっては、押圧部１９３が、天板部１７９ａの外表面と面一になるように嵌合孔１８５に嵌合されているから押圧部１９３に外力が積極的に作用しない限り、基板収納ケースを運搬しても本留めがされることはない。
【００９４】
なお、パチンコスロット１０が遊技場に設置されている状態で蓋側収納体１７９の天板部１７９ａや本体側収納体１６８の底板部１６８ｂが、蓋側折り溝１８７や本体側折り溝１７７で屈曲される場合を、前記検証や交換を行う場合のみと定めておけば、当該検証や交換の際に既に前記屈曲状態に蓋側収納体１７９の天板部１７９ａや本体側収納体１６８の底板部１６８ｂがあれば、何者かによる不正行為があったことが判明する。
なお、連結部１２６ａは括れ１２７を有するから、封止部１６４に異常に負荷が作用すると破損するため、これによっても不正行為の判明ができる。
【００９５】
また、ワンウェイネジ等の螺合手段を用いて封止するものではないため、比較的容易に
封止の解除ができる。
【００９６】
さらにまた、本体側封止部１６６を含むケース本体１２６及び蓋側封止部１６５を含む蓋体１２５は、透明材料であるＡＢＳ樹脂製なので、橋絡部材１６９が本体側封止部１６６及び蓋側封止部１６５に入っていることが一目瞭然である。よって封止を解除しなくても不正行為がなされたか否かの判断が可能である。
【実施例２】
【００９７】
実施例２が実施例１と相違する点は、蓋側収納体１７９が無く、代わりに蓋側箱部１７８の底板壁面１８２の段付貫通孔１８２ｏに蓋側収納体１７９の底板部１７９ｂに形成されていた矩形貫通孔１８８を一体化したごとき形状の貫通孔２８８とした点、蓋側収納体１７９の天板部１７９ａの代わりに蓋側折り溝１８７を有するキャップ体２６９を設け、キャップ体２６９で蓋側箱部１７８の開放口１８０を閉塞するようにした点、本体側収納体１６８の底板部１６８ｂの代わりに本体側折り溝１７７を有するキャップ体２６８を設け、キャップ体２６８で本体側箱部１６７の開放口１７０を閉塞するようにした点およびそれらと関連する点である。よって実施例１と同一部分には同一符号を付して説明を省略する。
【００９８】
キャップ体２６８およびキャップ体２６９は、図１１〜図１４からわかるように、本体側箱部１６７に外嵌される。しかし、特殊工具を用いなければ着脱できないように強固なしまり嵌めとされている。
【００９９】
貫通孔２８８は、図１１や図１２からわかるように、偏平円筒形に対しその周面から四角柱を貫通させた如き外形状をした孔である。四角形状の角空間部分２８８Ｒが実施例１の矩形貫通孔１８８に相当し、角空間部分２８８Ｒの長手方向に対して平行に橋絡部材１６９の第２係合片１９２が入った場合は本留めがされ（図１６参照）、橋絡部材１６９の第２係合片１９２が角空間部分２８８Ｒの長手方向に対して交叉した場合に仮留めがされるようになっている（図１５参照）。
【０１００】
実施例２の場合も、本留めをしてしまう前に、仮留めにより本当に封止してもよいか否かの確認ができるので、誤って封止してしまうことを有効に防止できる（図１３，図１４参照）。また、不正行為が行われたか否かの判別に底板部１６８ｂや天板部１７９ａが破壊された状態や橋絡部材１６９の痕跡は役立つ。
【０１０１】
さらに、本体側折り溝１７７の設けられているキャップ体２６８や蓋側折り溝１８７の設けられているキャップ体２６９は本体側収納体１６８や蓋側収納体１７９よりもコンパクトであるからその管理が簡単でかつ材料の節約にもなる。
【０１０２】
尚、本発明は、上述の図示例にのみ限定されるものではなく、本発明の要旨を逸脱しない範囲内において種々変更を加え得ることは勿論である。例えば、橋絡部材１６９を色つきにして数種用意しておき、検閲の度に異なる色の橋絡部材１６９を使用すれば何色を用いて今回の検証が行われるかは、関係者のみ知ることであるから、これによっても不正行為の判別に役立てられる。
また、実施例１および２では、１ケースにつき１つの封止部を付けたものを開示したが、封止部は複数あってもよい。
【図面の簡単な説明】
【０１０３】
【図１】本発明に係る制御基板封止構造が適用されるパチンコスロットの外観を示す斜視図である。
【図２】基板収納ケースをその蓋体が開かれた状態で示す斜視図である。
【図３】本発明基板収納ケースに用いられる制御基板封止構造の実施例１に係る封止部の拡大斜視図であって、蓋体を閉じられる直前の図である。
【図４】封止部の分解斜視図である。
【図５】図４の垂直断面図である。
【図６】封止部の垂直断面図であって、橋絡部材を仮留めしている状態を示す図である。
【図７】封止部の垂直断面図であって、橋絡部材を本留めしている状態を示す図である。
【図８】図６の概略平面図である。
【図９】仮留め状態を説明するための断面図であって図６のＡ−Ａ線断面図である。
【図１０】本留め状態を説明するための断面図であって図７のＢ−Ｂ線断面図である。
【図１１】本発明基板収納ケースに用いられる制御基板封止構造の実施例２に係る封止部の拡大分解斜視図である。
【図１２】図１１の垂直断面図である。
【図１３】封止部の垂直断面図であって、橋絡部材を仮留めしている状態を示す図である。
【図１４】封止部の垂直断面図であって、橋絡部材を本留めしている状態を示す図である。
【図１５】仮留め状態を説明するための断面図であって図１３のＣ−Ｃ線断面図である。
【図１６】本留め状態を説明するための断面図であって図１４のＤ−Ｄ線断面図である。
【符号の説明】
【０１０４】
１０  パチンコスロット
１１  筐体
１２ａ  上扉
１２ｂ  下扉
１３  表示窓
１４ａ  第１リール
１４ｂ  第２リール
１４ｃ  第３リール
１５  サブリール
１６  扉ヒンジ
２４  メイン基板（制御基板）
２５  基板収納ケース
２６  リールユニット
２７  支持枠
３２  専用基板
１２５  蓋体
１２５ａ  連結部
１２６  ケース本体
１２６ａ  連結部
１２６ｏ  基板収納口
１２７  括れ
１２９  ケースヒンジ
１６４  封止部
１６５  蓋側封止部
１６６  本体側封止部
１６７  本体側箱部
１６７Ｓ  空間
１６８  本体側収納体
１６８ａ  天板部（本留め部）
１６８ｂ  底板部（閉塞蓋）
１６８ｂ１  自由端縁側
１６８ｃ  連結部
１６９  橋絡部材
１７０  開放口
１７２  天井壁面（本留め部、本体側封止部の結合部）
１７２ｏ  貫通孔
１７３  平行溝
１７４  扁平凹部（凹部）
１７４ｏ  貫通孔
１７６  突条
１７７  溝（折り溝）
１７８  蓋側箱部
１７９  蓋側収納体
１７９Ｓ  空間
１７９ａ  天板部（閉塞蓋）
１７９ａ１  自由端縁
１７９ｂ  底板部（仮留め部）
１７９ｃ  連結部
１８０  開放口
１８２  底板壁面（蓋側封止部の結合部）
１８２ｏ  段付貫通孔（蓋側封止部の貫通孔）
１８２ｏ１  小径部
１８２ｏ２  大径部
１８３  平行溝
１８４  扁平凸部（凸部）
１８５  嵌合孔
１８５ａ  小孔
１８６  突条
１８７  溝（折り溝）
１８８  矩形貫通孔（橋絡部材の第１係合片及び第２係合片が通過可能な貫通孔であって、        前記橋絡部材を仮留め又は本留めするために通す貫通孔）
１９０  橋絡部材本体
１９１  第１係合片（本留め用の係合片）
１９２  第２係合片（本留め及び仮留め用の係合片，スナップ結合片）
１９３  押圧部
１９３ａ  小突起
１９３ｂ  長形溝（橋絡部材を回転するための溝）
２６８  キャップ体
２６９  キャップ体
２８８  貫通孔
２８８Ｒ  角空間部分
Ｌ  同軸線
Ｌ１  中心線
Ｌ２  中心線
α  角度
β  角度
【図１】
0004480652.tif 000002
【図２】
0004480652.tif 000003
【図３】
0004480652.tif 000004
【図４】
0004480652.tif 000005
【図５】
0004480652.tif 000006
【図６】
0004480652.tif 000007
【図７】
0004480652.tif 000008
【図８】
0004480652.tif 000009
【図９】
0004480652.tif 000010
【図１０】
0004480652.tif 000011
【図１１】
0004480652.tif 000012
【図１２】
0004480652.tif 000013
【図１３】
0004480652.tif 000014
【図１４】
0004480652.tif 000015
【図１５】
0004480652.tif 000016
【図１６】
0004480652.tif 000017